(57)【特許請求の範囲】
【請求項１】
発光装置に流れる電流を制御する電流制御部と、
発光装置に直列に接続される抵抗素子の両端子間の電圧を検知する電圧検知部と、
電圧検知部によって検知される電圧が予め定める異常検知電圧未満になったとき、電流制御部によって制御される発光装置に流れる電流を、定格電流を越えないように予め定めた電流値分を増加させ、発光装置に流れる電流を予め定めた電流値分を増加させた状態で電圧検知部によって検知される電圧が未だ予め定める異常検知電圧未満であるとき、発光装置は異常であると判定する異常検出部とを含むことを特徴とする発光装置の異常検出装置。
【請求項２】
前記電流制御部は、パルス幅変調方式によって発光装置に流れる電流を制御し、
前記異常検出部は、発光装置に流れる電流を、定格電流を越えないように予め定めた電流値分を増加させた状態にしたとき、前記電流制御部が制御するパルス幅変調方式のパルス幅のデューティ比を予め定める制限デューティ比まで低下させることを特徴とする請求項１に記載の発光装置の異常検出装置。
【請求項３】
複数のチャンネルごとにそれぞれ複数の発光ダイオードが直列に接続されて構成される前記発光装置に用いられ、
前記電流制御部は、チャンネルごとに電流を制御し、
前記電圧検知部は、チャンネルごとに発光ダイオードに直列に接続される抵抗素子の両端子間の電圧をチャンネルごとに検知し、
前記異常検出部は、いずれかのチャンネルで電圧検知部によって検知される電圧が予め定める異常検知電圧未満になったとき、電圧検知部によって検知される電圧が予め定める異常検知電圧未満になったチャンネルについて、電流制御部によって制御されるチャンネルに流れる電流を、定格電流を越えないように予め定めた電流値分を増加させ、該チャンネルに流れる電流を予め定めた電流値分を増加させた状態で電圧検知部によって検知される電圧が未だ予め定める異常検知電圧未満であるとき、該チャンネルは異常であると判定し、該チャンネルに流れる電流を予め定めた電流値分を増加させた状態で電圧検知部によって検知される電圧が予め定める異常検知電圧以上であるとき、該チャンネルは異常でないと判定することを特徴とする請求項１または２に記載の発光装置の異常検出装置。
【請求項４】
前記異常検出部は、異常でないと判定したとき、該異常でないと判定しチャンネルに流れる電流を電流制御部によって予め定めた電流値分を増加する前の電流値に戻させることを特徴とする請求項３に記載の発光装置の異常検出装置。
【請求項５】
前記異常検出部は、異常であると判定したとき、該異常であると判定したチャンネルに流れる電流を電流制御部によって停止させることを特徴とする請求項３または４に記載の発光装置の異常検出装置。
【請求項６】
発光装置に流れる電流を制御する電流制御部と、発光装置に直列に接続される抵抗素子の両端子間の電圧を検知する電圧検知部とを含む異常検出装置によって実行される発光装置の異常検出方法であって、
電圧検知部によって検知される電圧が予め定める異常検知電圧未満になったとき、電流制御部によって制御される発光装置に流れる電流を、定格電流を越えないように予め定めた電流値分を増加させる電流増加ステップと、
電流増加ステップで発光装置に流れる電流を予め定めた電流値分を増加させた状態で電圧検知部によって検知される電圧が未だ予め定める異常検知電圧未満であるとき、発光装置は異常であると判定する異常判定ステップとを含むことを特徴とする発光装置の異常検出方法。
【発明の詳細な説明】
【技術分野】
【０００１】
本発明は、バックライトなどの発光装置の異常を検出する発光装置の異常検出装置および発光装置の異常検出方法に関する。
【背景技術】
【０００２】
液晶ディスプレイなどの表示装置には、バックライトなどの発光装置を用いるものがある。バックライトは、たとえば複数の発光ダイオード（Light Emitting Diode：以下「ＬＥＤ」という）を用いて構成される。バックライトに用いられる複数のＬＥＤは、複数のエリアに配分され、エリアごとにＬＥＤのオープンおよびショートが監視される。オープンは、ＬＥＤの破壊によって、ＬＥＤの抵抗値が極端に大きくなり、ほぼ切断状態になる異常であり、また、ショートは、ＬＥＤの抵抗値が極端に小さくなり、ほぼ導通状態になる異常である。
【０００３】
しかし、ＬＥＤを駆動する駆動電流が小さい場合は、検出電圧も小さくなるため、高い精度での電圧の検出が難しくなる。電圧を検出するために電圧検出用抵抗を用いる場合、電圧検出用抵抗の抵抗値を大きくすれば、検出電圧を大きくして、検出精度を上げることはできるが、電圧検出用抵抗で消費される電力が増加し、消費電力のロスが増加する。
【０００４】
一般的に、ＬＥＤは、大電流を流すと、輝度効率の悪化および発熱量の増加などが発生する。また、電圧検出用抵抗に流れる電流に応じた電圧を検知する場合、ノイズによる電圧変動をＬＥＤの異常として誤検知することがある。
【０００５】
従来技術として、特許文献１に記載される発光素子駆動装置がある。この発光素子駆動装置は、複数のＬＥＤをそれぞれ駆動する駆動トランジスタをオンにした状態で、各ＬＥＤの端子間電圧を測定し、測定した端子間電圧に基づいて各ＬＥＤの異常を検出し、異常を検出した場合、外部表示機器上にＬＥＤの異常発生を表示する。
【先行技術文献】
【特許文献】
【０００６】
【特許文献１】特開２０１１−１９８９１３号公報
【発明の概要】
【発明が解決しようとする課題】
【０００７】
しかしながら、特許文献１に記載される従来技術も、測定した端子間電圧に基づいて各ＬＥＤの異常を検出するので、ノイズによる電圧変動をＬＥＤの異常として誤検知することがある。
【０００８】
本発明の目的は、発光装置の異常の誤検出を低減することができる発光装置の異常検出装置および発光装置の異常検出方法を提供することである。
【課題を解決するための手段】
【０００９】
本発明は、発光装置に流れる電流を制御する電流制御部と、
発光装置に直列に接続される抵抗素子の両端子間の電圧を検知する電圧検知部と、
電圧検知部によって検知される電圧が予め定める異常検知電圧未満になったとき、電流制御部によって制御される発光装置に流れる電流を、定格電流を越えないように予め定めた電流値分を増加させ、発光装置に流れる電流を予め定めた電流値分を増加させた状態で電圧検知部によって検知される電圧が未だ予め定める異常検知電圧未満であるとき、発光装置は異常であると判定する異常検出部とを含むことを特徴とする発光装置の異常検出装置である。
【００１０】
また本発明は、前記電流制御部は、パルス幅変調方式によって発光装置に流れる電流を制御し、
前記異常検出部は、発光装置に流れる電流を、定格電流を越えないように予め定めた電流値分を増加させた状態にしたとき、前記電流制御部が制御するパルス幅変調方式のパルス幅のデューティ比を予め定める制限デューティ比まで低下させることを特徴とする。
【００１１】
また本発明は、複数のチャンネルごとにそれぞれ複数の発光ダイオードが直列に接続されて構成される前記発光装置に用いられ、
前記電流制御部は、チャンネルごとに電流を制御し、
前記電圧検知部は、チャンネルごとに発光ダイオードに直列に接続される抵抗素子の両端子間の電圧をチャンネルごとに検知し、
前記異常検出部は、いずれかのチャンネルで電圧検知部によって検知される電圧が予め定める異常検知電圧未満になったとき、電圧検知部によって検知される電圧が予め定める異常検知電圧未満になったチャンネルについて、電流制御部によって制御されるチャンネルに流れる電流を、定格電流を越えないように予め定めた電流値分を増加させ、該チャンネルに流れる電流を予め定めた電流値分を増加させた状態で電圧検知部によって検知される電圧が未だ予め定める異常検知電圧未満であるとき、該チャンネルは異常であると判定し、該チャンネルに流れる電流を予め定めた電流値分を増加させた状態で電圧検知部によって検知される電圧が予め定める異常検知電圧以上であるとき、該チャンネルは異常でないと判定することを特徴とする。
【００１２】
また本発明は、、前記異常検出部は、異常でないと判定したとき、該異常でないと判定しチャンネルに流れる電流を電流制御部によって予め定めた電流値分を増加する前の電流値に戻させることを特徴とする。
【００１３】
また本発明は、前記異常検出部は、異常であると判定したとき、該異常であると判定したチャンネルに流れる電流を電流制御部によって停止させることを特徴とする。
【００１４】
また本発明は、発光装置に流れる電流を制御する電流制御部と、発光装置に直列に接続される抵抗素子の両端子間の電圧を検知する電圧検知部とを含む異常検出装置によって実行される発光装置の異常検出方法であって、
電圧検知部によって検知される電圧が予め定める異常検知電圧未満になったとき、電流制御部によって制御される発光装置に流れる電流を、定格電流を越えないように予め定めた電流値分を増加させる電流増加ステップと、
電流増加ステップで発光装置に流れる電流を予め定めた電流値分を増加させた状態で電圧検知部によって検知される電圧が未だ予め定める異常検知電圧未満であるとき、発光装置は異常であると判定する異常判定ステップとを含むことを特徴とする発光装置の異常検出方法である。
【発明の効果】
【００１５】
本発明によれば、電流制御部は、発光装置に流れる電流を制御する。電圧検知部は、発光装置に直列に接続される抵抗素子の両端子間の電圧を検知する。そして、異常検出部は、電圧検知部によって検知される電圧が予め定める異常検知電圧未満になったとき、電流制御部によって制御される発光装置に流れる電流を、定格電流を越えないように予め定めた電流値分を増加させ、発光装置に流れる電流を予め定めた電流値分を増加させた状態で電圧検知部によって検知される電圧が未だ予め定める異常検知電圧未満であるとき、発光装置は異常であると判定する。したがって、発光装置の異常検出装置は、発光装置の異常の誤検出を低減することができる。
【００１６】
また本発明によれば、前記電流制御部は、パルス幅変調方式によって発光装置に流れる電流を制御する。そして、前記異常検出部は、発光装置に流れる電流を、定格電流を越えないように予め定めた電流値分を増加させた状態にしたとき、前記電流制御部が制御するパルス幅変調方式のパルス幅のデューティ比を予め定める制限デューティ比まで低下させる。したがって、発光装置の異常検出装置は、電流増加による発光ダイオードの発熱量の増加を抑制することができる。
【００１７】
また本発明によれば、発光装置の異常検出装置は、複数のチャンネルごとにそれぞれ複数の発光ダイオードが直列に接続されて構成される前記発光装置に用いられる。前記電流制御部は、チャンネルごとに電流を制御する。前記電圧検知部は、チャンネルごとに発光ダイオードに直列に接続される抵抗素子の両端子間の電圧をチャンネルごとに検知する。そして、前記異常検出部は、いずれかのチャンネルで電圧検知部によって検知される電圧が予め定める異常検知電圧未満になったとき、電圧検知部によって検知される電圧が予め定める異常検知電圧未満になったチャンネルについて、電流制御部によって制御されるチャンネルに流れる電流を、定格電流を越えないように予め定めた電流値分を増加させ、該チャンネルに流れる電流を予め定めた電流値分を増加させた状態で電圧検知部によって検知される電圧が未だ予め定める異常検知電圧未満であるとき、該チャンネルは異常であると判定し、該チャンネルに流れる電流を予め定めた電流値分を増加させた状態で電圧検知部によって検知される電圧が予め定める異常検知電圧以上であるとき、該チャンネルは異常でないと判定する。したがって、発光装置の異常検出装置は、バックライトの発光ダイオードの異常をチャンネルごとに検出することができる。
【００１８】
本発明によれば、前記異常検出部は、異常でないと判定したとき、該異常でないと判定しチャンネルに流れる電流を電流制御部によって予め定めた電流値分を増加する前の電流値に戻させる。したがって、発光装置の異常検出装置は、ノイズによる電圧変動を異常であると誤検出することを防止することができる。
【００１９】
また本発明によれば、前記異常検出部は、異常であると判定したとき、該異常であると判定したチャンネルに流れる電流を電流制御部によって停止させる。したがって、発光装置の異常検出装置は、異常が検出されたチャンネルでの消費電力を０とすることができる。
【００２０】
また本発明によれば、発光装置に流れる電流を制御する電流制御部と、発光装置に直列に接続される抵抗素子の両端子間の電圧を検知する電圧検知部とを含む異常検出装置が発光装置の異常検出方法を実行するにあたって、電流増加ステップでは、電圧検知部によって検知される電圧が予め定める異常検知電圧未満になったとき、電流制御部によって制御される発光装置に流れる電流を、定格電流を越えないように予め定めた電流値分を増加させる。そして、異常判定ステップでは、電流増加ステップで発光装置に流れる電流を予め定めた電流値分を増加させた状態で電圧検知部によって検知される電圧が未だ予め定める異常検知電圧未満であるとき、発光装置は異常であると判定する。したがって、発光装置の異常検出方法は、発光装置の異常の誤検出を低減することができる。
【図面の簡単な説明】
【００２１】
【図１】本発明の一実施形態である液晶ディスプレイ１の構成を示すブロック図である。
【図２】ＬＥＤ制御デバイス１７の構成を１つのチャンネルについて示す回路図である。
【図３】ノイズによる検知電圧の変化を示す図である。
【図４】異常検出処理の処理手順を示すフローチャートである。
【発明を実施するための形態】
【００２２】
図１は、本発明の一実施形態である液晶ディスプレイ１の構成を示すブロック図である。液晶ディスプレイ１は、中央処理装置（Central Processing Unit：以下「ＣＰＵ」という）１０、リードオンリーメモリ（Read Only Memory：以下「ＲＯＭ」という）１１、ランダムアクセスメモリ（Random Access Memory：以下「ＲＡＭ」という）１２、液晶ディスプレイ（Liquid Crystal Display：以下「ＬＣＤ」という）パネル１３、ＬＣＤパネルコントローラ１４およびバックライト１５を含んで構成される。
【００２３】
異常検出部であるＣＰＵ１０は、ＲＯＭ１１に記憶されるプログラムを実行することによって、ＬＣＤパネルコントローラ１４およびバックライト１５を制御する。ＲＯＭ１１は、たとえばフラッシュメモリなどの不揮発性の書き換え可能な半導体メモリによって構成される。ＲＯＭ１１は、ＣＰＵ１０によって実行されるプログラム、および初期設定のため情報を記憶している。ＲＡＭ１２は、たとえば静的ランダムアクセスメモリ（Static Random Access Memory）：以下「ＳＲＡＭ」という）などの書き換え可能な半導体メモリによって構成される。ＲＡＭ１２は、ＣＰＵ１０がプログラムを実行するために必要な情報を記憶する。
【００２４】
ＬＣＤパネル１３は、たとえば液晶パネルによって構成される。ＬＣＤパネル１３は、ＬＣＤパネルコントローラ１４から受け取る画像情報を画像として表示する。ＬＣＤパネルコントローラ１４は、ＬＣＤパネル１３を制御する。ＣＰＵ１０は、映像信号を出力する装置、たとえば映像再生装置から受け取る映像入力を画像情報に変換して、ＬＣＤパネルコントローラ１４に送る。ＬＣＤパネルコントローラ１４は、ＣＰＵ１０から受け取る画像情報をＬＣＤパネル１３に送って画像として表示させる。
【００２５】
バックライト１５は、発光ダイオード（Light Emitting Diode：以下「ＬＥＤ」という）デバイス１６、ＬＥＤ制御デバイス１７および電源供給部１８を含んで構成される。バックライト１５は、ＬＣＤパネル１３の背面側に設けられ、ＬＣＤパネル１３を背面側から照明する。
【００２６】
ＬＥＤデバイス１６は、複数のエリア１９、たとえば縦１２個および横１６個からなる合計１９２個のエリア１９に分割されている。各エリア１９は、直列に接続される複数のＬＥＤ２０、たとえば６個のＬＥＤ２０を含む。１つのエリアに含まれる６個のＬＥＤ２０によって、１つのチャンネルが構成される。したがって、ＬＥＤデバイス１６には、１９２個のチャンネルが形成される。
【００２７】
電流制御部であるＬＥＤ制御デバイス１７は、ＬＥＤデバイス１６を制御するドライバである。ＬＥＤ制御デバイス１７は、ＣＰＵ１０からの指示によって、各チャンネルに流す電流の制御、およびパルス幅変調（Pulse Width Modulation：以下「ＰＷＭ」という）方式による輝度の制御をチャンネルごとに行う。ＰＷＭの周波数は、たとえば１５６０Ｈｚである。
【００２８】
ＬＥＤ制御デバイス１７は、ＣＰＵ１０がＬＥＤ制御デバイス１７に各チャンネルに流す電量の目標電流値を指示するための電流レジスタを含む。チャンネルごとの目標電流値の初期値は、ＲＯＭ１１に記憶されており、ＣＰＵ１０は、電源投入直後の初期設定処理で、ＲＯＭ１１に記憶されている目標電流値の初期値を、ＬＥＤ制御デバイス１７の電流レジスタに設定する。ＬＥＤ制御デバイス１７は、電流レジスタに設定されている目標電流値になるように、各チャンネルに流れる電流を制御する。
【００２９】
また、ＬＥＤ制御デバイス１７は、エラー電圧を検知したチャンネルをＣＰＵ１０に知らせるためのエラーレジスタを含む。エラー電圧とは、後述する異常検知電圧未満の電圧のことである。
【００３０】
電源供給部１８は、各チャンネルに電圧を印加する。各チャンネルに印加する電圧は、電圧３７．５Ｖが基準となる電圧であるが、ＣＰＵ１０の指示によって、チャンネルごとに可変である。また、電源供給部１８は、ＣＰＵ１０の指示によって、チャンネル単位で電圧の供給を停止することができる。
【００３１】
図２は、ＬＥＤ制御デバイス１７の構成を１つのチャンネルについて示す回路図である。ＬＥＤ制御デバイス１７は、チャンネルごとに、トランジスタＴｒ１、トランジスタＴｒ２、抵抗Ｒｓ、差動増幅器Ａｍｐおよび電圧検知部２１を含む。トランジスタＴｒ１，Ｔｒ２は、Ｐ型電界効果トランジスタであるが、Ｎ型電界効果トランジスタによって構成してもよい。
【００３２】
６個のＬＥＤ２０、トランジスタＴｒ１，Ｔｒ２および抵抗Ｒｓは、電源供給部１８とアースとの間に、この順序で直列に接続される。具体的には、第１番目のＬＥＤ２０のアノードが電源供給部１８に接続され、第１番目のＬＥＤ２０のカソードが第２番目のＬＥＤ２０のアノードに接続される。第２番目〜第６番目までのＬＥＤ２０は、前段のＬＥＤ２０のカソードと次段のＬＥＤ２０のアノードとが接続される。第６番目のＬＥＤ２０のカソードは、トランジスタＴｒ１のドレインに接続され、トランジスタＴｒ１のソースは、トランジスタＴｒ２のドレインに接続され、トランジスタＴｒ２のソースは、抵抗Ｒｓの一端に接続され、抵抗Ｒｓの他端は、アースに接続される。抵抗Ｒｓは、抵抗素子である。
【００３３】
トランジスタＴｒ１のゲートには、ＣＰＵ１０から指示されるデューティ比のパルス幅を指示するＰＷＭ信号が入力される。デューティ比は、ＰＷＭ信号の１周期のうち、オンとなるパルス幅が占める割合であり、百分率で示される。ＰＷＭ信号がオンのとき、つまりハイレベルのとき、トランジスタＴｒ１が導通し、ＰＷＭ信号がオフのとき、つまりローベルのとき、トランジスタＴｒ１が切断される。したがって、ＣＰＵ１０は、パルス幅を変化させることによって、１周期のうちＬＥＤが点灯している時間を変化させることができる。
【００３４】
トランジスタＴｒ２のゲートには、差動増幅器Ａｍｐの出力端子が接続される。差動増幅器Ａｍｐの非反転入力端子には、ＣＰＵ１０から指示される目標電流値を指示する目標電流値信号が入力され、差動増幅器Ａｍｐの反転入力端子には、抵抗Ｒｓの一端が入力される。トランジスタＴｒ２および差動増幅器Ａｍｐによって、ＬＥＤ２０を流れる電流の電流値が目標電流値に一致するように制御される。電圧検知部２１は、抵抗Ｒｓの両端子間の電圧を検知し、検知した電圧をＣＰＵ１０に知らせる。
【００３５】
図３は、ノイズによる検知電圧の変化を示す図である。抵抗Ｒｓに流れる電流が多い方が、抵抗Ｒｓにて検知することができる検知電圧が大きいので、ノイズの影響は少ない。逆に、抵抗Ｒｓに流れる電流が少ないと検知電圧が小さくなり、ノイズなどの影響を受けた場合に、ノイズによる電圧変動がＬＥＤ２０の異常として誤検知されやすくなる。
【００３６】
図３（ａ）は、通常電流状態でのノイズによる検知電圧の変化を示す図である。通常電流状態は、たとえば、ＬＥＤ２０に電流値５６ｍＡの電流を流す状態である。通常電流状態の場合、抵抗Ｒｓの抵抗値が０．２Ωであると、電圧検知部２１が検知する検知電圧は、０．２Ω×５６ｍＡ＝１１．２ｍＶとなる。通常電流状態では、図３に示したノイズによって、検知電圧が異常検知電圧未満となる瞬間があり、ＣＰＵ１０は、検知電圧が異常検知電圧未満となったことを、ＬＥＤ２０の異常として誤検出する可能性がある。異常検知電圧は、たとえば５ｍＶである。
【００３７】
ＬＥＤ２０がオープンとなる異常の場合は、検知電圧は０Ｖとなり、検知電圧は定常的に異常検知電圧未満となる。しかし、ノイズによる電圧変動の場合は、ノイズの影響がなくなると、検知電圧は、１１．２ｍＶに復帰する。
【００３８】
図３（ｂ）は、電流増加状態でのノイズによる検知電圧の変化を示す図である。電流増加状態は、たとえば、ＬＥＤ２０に電流値１２０ｍＡの電流を流す状態である。すなわち、電流増加状態は、通常電流状態の電流値５６ｍＡに、予め定める電流値分、たとえば電流値６４ｍＡ分増加させた状態である。電流増加状態の場合、電圧検知部２１が検知する検知電圧は、０．２Ω×１２０ｍＡ＝２４．０ｍＶとなる。電流増加状態では、図３に示したノイズによっては、検知電圧が異常検知電圧未満となることはなく、ノイズの影響を受け難くなる。
【００３９】
もし、図３（ｂ）に示した電流増加状態で、検知電圧が異常検知電圧未満となる場合は、ＬＥＤ２０がオープンとなったことが考えられる。この場合、ＣＰＵ１０は、そのチャンネルをオフとする。図３（ｂ）に示した電流増加状態で、検知電圧が異常検知電圧以上である場合は、ＣＰＵ１０は、異常が無いと判断する。すなわち、ＣＰＵ１０は、通常電流状態で検知電圧が異常検知電圧未満となったのは、ノイズの影響によるものであると判定し、ＬＥＤ２０に流す電流を通常電流状態の５６ｍＡに戻す。
【００４０】
換言すると、ＣＰＵ１０は、通常電流状態で、異常電圧を検出した場合に、一定時間、たとえば１秒の時間電流を増加させて、検出異常確認処理を実施する。異常電圧とは、異常検知電圧未満のエラー電圧である。検出異常確認処理とは、電流増加状態での異常電圧の有無によって、ＬＥＤ２０の異常の有無を確認する処理である。
【００４１】
検出異常確認処理では、ＣＰＵ１０は、電流を増加させることによって増加するＬＥＤ２０での発熱量を、デューティ比を予め定める制限デューティ比、たとえば１０％のデューティ比まで強制的に下げることによって抑制する。また、デューティ比を予め定める制限デューティ比まで下げることは、電流を増加させることによる輝度の増加も抑制することができる。
【００４２】
図４は、異常検出処理の処理手順を示すフローチャートである。液晶ディスプレイ１の電源が投入され、動作可能状態になると、ＣＰＵ１０は、ステップＡ１に移る。
【００４３】
ステップＡ１では、ＣＰＵ１０は、通常動作を行う。具体的には、ＣＰＵ１０は、各チャンネルに流す電流の目標電流値を、電流レジスタに設定された電流値とするための目標電流値信号を出力する。電流レジスタに設定された電流値は、定格電流以下のたとえば通常電流状態での電流値である５６ｍＡである。すなわち、ＣＰＵ１０は、各チャンネルに流す電流を通常電流状態の電流値とする。ＬＥＤ制御デバイス１７は、通常動作のとき、検知電圧が異常検知電圧未満であるチャンネルを検知すると、検知電圧が異常検知電圧未満であるチャンネルのエラーレジスタにエラーをセットする。
【００４４】
ステップＡ２では、ＣＰＵ１０は、エラー電圧を検知したか否かを判定する。ＣＰＵ１０は、エラーレジスタにエラーがセットされているチャンネルがあると、エラー電圧を検知したと判定し、ステップＡ３に進み、エラーレジスタにエラーがセットされているチャンネルがないと、エラー電圧を検知しなかったと判定し、ステップＡ１に戻る。ステップＡ２，Ａ３は、電流増加ステップである。
【００４５】
ステップＡ３では、ＣＰＵ１０は、エラー電圧を検知したチャンネルの電流を増加する。具体的には、ＣＰＵ１０は、エラー電圧を検知したチャンネルに、目標電圧値を電流増加状態の電流値である１２０ｍＡとする目標電流値信号を出力する。
【００４６】
ステップＡ４では、ＣＰＵ１０は、エラー電圧を検知したチャンネルのパルス幅のデューティ比を強制的に落とす。具体的には、ＣＰＵ１０は、エラー電圧を検知したチャンネルに、パルス幅のデューティ比を１０％にするＰＷＭ信号を出力する。
【００４７】
ステップＡ５では、ＣＰＵ１０は、エラー電圧検出処理を行う。エラー電圧検出処理では、ＬＥＤ制御デバイス１７は、ステップＡ２でエラー電圧を検知したチャンネルについて、検知電圧が異常検知電圧未満であるか否かを検知し、検知電圧が異常検知電圧未満であるチャンネルのエラーレジスタにエラーをセットする。
【００４８】
ステップＡ６では、ＣＰＵ１０は、エラー電圧を検知したか否かを判定する。ＣＰＵ１０は、ステップＡ２でエラー電圧を検知したチャンネルについて、再度エラー電圧を検知したとき、エラー電圧を検知したと判定し、ステップＡ７に進む。ＣＰＵ１０は、ステップＡ２でエラー電圧を検知したチャンネルについて、再度エラー電圧を検知しなかったとき、エラー電圧を検知しなかったと判定し、予め定める制限デューティ比を解除してステップＡ１に戻る。ステップＡ５，Ａ６は、異常判定ステップである。
【００４９】
ステップＡ７では、ＣＰＵ１０は、再度エラー電圧を検知したチャンネルを使用不能に設定し、ステップＡ１に戻る。ステップＡ７で、再度エラー電圧を検知したチャンネル以外に、再度エラー電圧を検知しなかったチャンネルがあるときは、再度エラー電圧を検知しなかったチャンネルについて、予め定める制限デューティ比を解除してステップＡ１に戻る。
【００５０】
チャンネルを使用不能に設定するとは、たとえば、当該チャンネルへの電源供給部１８による電圧の供給を停止すること、または、当該チャンネルのデューティ比を０％にすること、または、目標電圧値を０ｍＶにすることによって実現することができる。使用不能に設定されたチャンネルについては、ステップＡ１〜Ａ６では使用不能として制御対象から除外される。
【００５１】
上述した実施形態の液晶ディスプレイ１は、ノイズの影響を受けずに、正しくＬＥＤ２０の不具合を検出することができ、ＬＥＤ２０の異常の誤検出を低減することができる。
【００５２】
上述した実施形態では、抵抗Ｒｓの両端子間の電圧を検知することによって、ＬＥＤ２０がオープンとなる異常を検出したが、ＬＥＤ２０がショートとなる異常については、ＬＥＤ２０がショートしても、ＬＥＤ２０を流れる電流の電流値が変化しないので、上述した実施形態では検出することはできない。
【００５３】
ＬＥＤ２０がショートとなる異常については、各チャンネルに含まれる６個のＬＥＤ２０による電圧降下の電圧を検知することによって、検出することができる。すなわち、６個のＬＥＤ２０による電圧降下の電圧が、正常な６個のＬＥＤ２０による電圧降下の電圧未満になり、それが継続する場合は、いずれかのＬＥＤ２０がショートしていることを表しており、検出可能である。
【００５４】
また、上述した実施形態では、発光装置の一例としてバックライト１５を例にして説明したが、バックライト１５に限定されるものではない。発光装置は、光を発光する装置であればよく、たとえば電球や蛍光灯などの照明装置であってもよい。
【００５５】
このように、ＬＥＤ制御デバイス１７は、発光装置に流れる電流を制御する。電圧検知部２１は、発光装置に直列に接続される抵抗Ｒｓの両端子間の電圧を検知する。そして、ＣＰＵ１０は、電圧検知部２１によって検知される電圧が予め定める異常検知電圧未満になったとき、ＬＥＤ制御デバイス１７によって制御される発光装置に流れる電流を予め定める電流値分増加させ、発光装置に流れる電流を予め定める電流値分増加させた状態で電圧検知部２１によって検知される電圧が未だ予め定める異常検知電圧未満であるとき、発光装置は異常であると判定する。したがって、発光装置の異常検出装置は、発光装置の異常の誤検出を低減することができる。
【００５６】
さらに、ＬＥＤ制御デバイス１７は、パルス幅変調方式によって発光装置に流れる電流を制御する。そして、ＣＰＵ１０は、発光装置に流れる電流を、定格電流を越えないように予め定めた電流値分を増加させた状態にしたとき、ＬＥＤ制御デバイス１７が制御するパルス幅変調方式のパルス幅のデューティ比を予め定める制限デューティ比まで低下させる。したがって、発光装置の異常検出装置は、電流増加による発光ダイオードの発熱量の増加を抑制することができる。
【００５７】
さらに、発光装置の異常検出装置は、複数のチャンネルごとにそれぞれ複数のＬＥＤ２０が直列に接続されて構成される前記発光装置に用いられる。ＬＥＤ制御デバイス１７は、チャンネルごとに電流を制御する。電圧検知部２１は、チャンネルごとにＬＥＤ２０に直列に接続される抵抗Ｒｓの両端子間の電圧をチャンネルごとに検知する。そして、ＣＰＵ１０は、いずれかのチャンネルで電圧検知部２１によって検知される電圧が予め定める異常検知電圧未満になったとき、電圧検知部２１によって検知される電圧が予め定める異常検知電圧未満になったチャンネルについて、ＬＥＤ制御デバイス１７によって制御されるチャンネルに流れる電流を予め定める電流値分増加させ、該チャンネルに流れる電流を予め定める電流値分増加させた状態で電圧検知部２１によって検知される電圧が未だ予め定める異常検知電圧未満であるとき、該チャンネルは異常であると判定し、該チャンネルに流れる電流を予め定める電流値分増加させた状態で電圧検知部２１によって検知される電圧が予め定める異常検知電圧以上であるとき、該チャンネルは異常でないと判定する。したがって、発光装置の異常検出装置は、バックライトのＬＥＤ２０の異常をチャンネルごとに検出することができる。
【００５８】
さらに、ＣＰＵ１０は、異常でないと判定したとき、該異常でないと判定しチャンネルに流れる電流をＬＥＤ制御デバイス１７によって予め定める電流値分増加する前の電流値に戻させる。したがって、発光装置の異常検出装置は、ノイズによる電圧変動を異常であると誤検出することを防止することができる。
【００５９】
さらに、ＣＰＵ１０は、異常であると判定したとき、該異常であると判定したチャンネルに流れる電流をＬＥＤ制御デバイス１７によって停止させる。したがって、発光装置の異常検出装置は、異常が検出されたチャンネルでの消費電力を０とすることができる。
【００６０】
さらに、発光装置に流れる電流を制御するＬＥＤ制御デバイス１７と、発光装置に直列に接続される抵抗Ｒｓの両端子間の電圧を検知する電圧検知部２１とを含む異常検出装置が発光装置の異常検出方法を実行するにあたって、ステップＡ２，Ａ３では、電圧検知部２１によって検知される電圧が予め定める異常検知電圧未満になったとき、ＬＥＤ制御デバイス１７によって制御される発光装置に流れる電流を予め定める電流値分増加させる。そして、ステップＡ５，Ａ６では、ステップＡ２，Ａ３で発光装置に流れる電流を予め定める電流値分増加させた状態で電圧検知部２１によって検知される電圧が未だ予め定める異常検知電圧未満であるとき、発光装置は異常であると判定する。したがって、発光装置の異常検出方法は、発光装置の異常の誤検出を低減することができる。
【符号の説明】
【００６１】
１  液晶ディスプレイ
１０  ＣＰＵ
１１  ＲＯＭ
１２  ＲＡＭ
１３  ＬＣＤパネル
１４  ＬＣＤパネルコントローラ
１５  バックパネル
１６  ＬＥＤデバイス
１７  ＬＥＤ制御デバイス
１８  電源供給部
１９  エリア
２０  ＬＥＤ
【図１】
0005879132.tif 000002
【図２】
0005879132.tif 000003
【図３】
0005879132.tif 000004
【図４】
0005879132.tif 000005